(57)【要約】【課題】極軸セッティングを簡単な操作で高精度に行うことができる赤道儀を提供すること。【解決手段】赤道儀１は、光軸が極軸に一致した極軸望遠鏡２を備えている。極軸望遠鏡２は、対物レンズＬ１と、焦点板２１と、接眼レンズＬ２と、焦点板２１と接眼レンズＬ２との間に設置されたズーム光学系２２と、ズーム光学系２２の第１変倍レンズＬ４および第２変倍レンズＬ５を極軸Ｏ１方向に直進案内する直進案内溝５１、５２が形成された直進案内環５と、第１変倍レンズＬ４および第２変倍レンズＬ５を極軸Ｏ１方向に移動させるカム溝６１、６２が形成され、極軸Ｏ１を回転中心として直進案内環５に対し回転可能に設置されたカム環６と、接眼レンズＬ２の近傍に設置され、カム環６と一体となって回転するズーム操作環７とを有している。【選択図】図２
2004212671.tif 000002
【特許請求の範囲】
【請求項１】
極軸望遠鏡を備える赤道儀であって、
前記極軸望遠鏡は、対物レンズと、
焦点板と、
接眼レンズと、
前記焦点板と前記接眼レンズとの間に設置されたズーム光学系と、
前記ズーム光学系の光学素子を極軸方向に案内する案内溝が形成された案内環と、
前記ズーム光学系の光学素子を極軸方向に移動させるカム溝が形成され、極軸を回転中心として前記案内環に対し回転可能に設置されたカム環と、
前記接眼レンズの近傍に設置され、前記カム環と一体となって回転するズーム操作環とを有するものであることを特徴とする赤道儀。
【請求項２】
前記案内環は、極軸を回転中心として回転可能に設置され、前記焦点板は、前記案内環と一体となって回転するように構成されており、
前記案内環を回転させる操作を行う操作部をさらに備える請求項１に記載の赤道儀。
【請求項３】
前記接眼レンズは、前記案内環に支持されている請求項１または２に記載の赤道儀。
【請求項４】
前記ズーム光学系は、リレー光学系で構成されている請求項１ないし３のいずれかに記載の赤道儀。
【請求項５】
前記極軸望遠鏡は、極軸を中心とするリング状をなすスペーサをさらに有し、前記スペーサの先端面は、前記案内環に当接し、前記スペーサの基端面は、前記ズーム操作環に当接しており、製造時に、前記スペーサの厚さを調整することにより、前記案内環に対する前記カム環の極軸方向の位置が調整されたものである請求項１ないし４のいずれかに記載の赤道儀。
【請求項６】
前記極軸望遠鏡は、前記案内環の基端部外周に形成された雄ねじに螺合するナットと、前記ナットと前記ズーム操作環との間に設置され、極軸を中心とするリング状をなす第２のスペーサとをさらに有し、前記ナットを締め付けることにより前記第２のスペーサを介して前記ズーム操作環を先端方向に押圧するよう構成され、前記ナットの締め付け量の調整により前記ズーム操作環の回転抵抗を調整可能である請求項５に記載の赤道儀。
【発明の詳細な説明】
【０００１】
【発明の属する技術分野】
本発明は、極軸望遠鏡を備えた赤道儀に関する。
【０００２】
【従来の技術】
赤道儀では、極軸を地球の自転軸（地軸）と平行にセッティングする必要がある。この極軸セッティングを容易にするために、光軸が極軸に一致している極軸望遠鏡を備えた赤道儀が知られている。赤道儀の極軸セッティングは、次のように行われている。例えば北半球では、極軸望遠鏡で北天を観察し、北極星が極軸望遠鏡の視界中心（光軸）から所定距離に位置するように、赤道儀の方位および高度調整を行う。
【０００３】
天体望遠鏡にカメラを装着し、長時間露光して撮影するような場合には、極軸セッティングの精度が低いと、撮影した天体の位置が露光中に徐々にずれてしまうので、極軸セッティングを特に高精度に行う必要がある。しかしながら、精度向上のために極軸望遠鏡の倍率を高くすると、極軸望遠鏡の視界が狭くなって、北極星を極軸望遠鏡で捕捉するのが困難になり、極軸望遠鏡の倍率を低くすると、視界が広くなって北極星の捕捉は容易になるが、このままでは極軸セッティングの精度が低下してしまう、という問題がある。
【０００４】
上述の問題を解決するため、下記特許文献１には、極軸望遠鏡の倍率を下げて視界を広げるコンバータを有する赤道儀が開示されている。この赤道儀では、北極星を極軸望遠鏡の視界内に捕捉する際には、このコンバータを装着して視界を広げて行い、北極星を捕捉したらコンバータを取り外して本来の高倍率の状態で高精度の極軸セッティングを行う。
【０００５】
しかしながら、特許文献１に記載の赤道儀では、極軸セッティングのたびにコンバータを着脱する手間がかかり、煩雑な操作を要するという問題がある。また、天体観測に行く際にコンバータを持参し忘れるおそれや、コンバータを紛失するおそれがあるという問題もある。
【０００６】
【特許文献１】
特開平９−２８１４０８号公報
【０００７】
【発明が解決しようとする課題】
本発明の目的は、極軸セッティングを簡単な操作で高精度に行うことができる赤道儀を提供することにある。
【０００８】
【課題を解決するための手段】
このような目的は、下記（１）〜（６）の本発明により達成される。
【０００９】
（１）  極軸望遠鏡を備える赤道儀であって、
前記極軸望遠鏡は、対物レンズと、
焦点板と、
接眼レンズと、
前記焦点板と前記接眼レンズとの間に設置されたズーム光学系と、
前記ズーム光学系の光学素子を極軸方向に案内する案内溝が形成された案内環と、
前記ズーム光学系の光学素子を極軸方向に移動させるカム溝が形成され、極軸を回転中心として前記案内環に対し回転可能に設置されたカム環と、
前記接眼レンズの近傍に設置され、前記カム環と一体となって回転するズーム操作環とを有するものであることを特徴とする赤道儀。
【００１０】
これにより、極軸望遠鏡の倍率を簡単な操作で低倍から高倍まで変化させることができるので、赤道儀の極軸セッティングを簡単な操作で高精度に行うことができる。
【００１１】
また、ズーミングの際にズーム光学系に芯ずれ（光軸のずれ）が生じても、極軸セッティングの精度に影響を受けることがなく、高精度な極軸セッティングを確実に行うことができる。
【００１２】
また、極軸望遠鏡の低倍側で一旦捕捉した目標の星を、高倍にしたときに視界から逃すようなことがないので、高精度な極軸セッティングを常に円滑に行うことができる。
【００１３】
（２）  前記案内環は、極軸を回転中心として回転可能に設置され、前記焦点板は、前記案内環と一体となって回転するように構成されており、
前記案内環を回転させる操作を行う操作部をさらに備える上記（１）に記載の赤道儀。
【００１４】
これにより、簡単な構造で焦点板を回転操作することができ、焦点板に描かれたスケールの位置を時刻に合わせて補正することができる。
【００１５】
（３）  前記接眼レンズは、前記案内環に支持されている上記（１）または（２）に記載の赤道儀。
【００１６】
これにより、ズーム操作環を回転操作したときに接眼レンズが回転しないようにすることができるので、ズーミングがし易い。
【００１７】
（４）  前記ズーム光学系は、リレー光学系で構成されている上記（１）ないし（３）のいずれかに記載の赤道儀。
【００１８】
これにより、極軸望遠鏡の観察像が正立像となるので、極軸セッティングをさらに容易に行うことができる。
【００１９】
（５）  前記極軸望遠鏡は、極軸を中心とするリング状をなすスペーサをさらに有し、前記スペーサの先端面は、前記案内環に当接し、前記スペーサの基端面は、前記ズーム操作環に当接しており、製造時に、前記スペーサの厚さを調整することにより、前記案内環に対する前記カム環の極軸方向の位置が調整されたものである上記（１）ないし（４）のいずれかに記載の赤道儀。
【００２０】
これにより、赤道儀の製造時に、部品寸法の個体差による誤差を補正して、極軸望遠鏡の倍率やピントが正確になるように容易に調整することができる。
【００２１】
（６）  前記極軸望遠鏡は、前記案内環の基端部外周に形成された雄ねじに螺合するナットと、前記ナットと前記ズーム操作環との間に設置され、極軸を中心とするリング状をなす第２のスペーサとをさらに有し、前記ナットを締め付けることにより前記第２のスペーサを介して前記ズーム操作環を先端方向に押圧するよう構成され、前記ナットの締め付け量の調整により前記ズーム操作環の回転抵抗を調整可能である上記（５）に記載の赤道儀。
【００２２】
これにより、簡単な構造で、ズーム操作環の回転抵抗を操作のし易い大きさに容易に調整することができる。
【００２３】
【発明の実施の形態】
以下、本発明の赤道儀を添付図面に示す好適な実施形態に基づいて詳細に説明する。
図１は、本発明の赤道儀の実施形態を示す一部切欠き側面図、図２は、図１に示す赤道儀における極軸望遠鏡の縦断面図、図３は、図２中のズーム光学系およびその周辺を拡大して示す半縦断面図、図４は、図３中の接眼レンズおよびその周辺をさらに拡大して示す半縦断面図、図５は、図２に示す極軸望遠鏡における焦点板を示す図である。なお、図１中では、極軸望遠鏡の図示を省略する。また、以下では、説明の都合上、図２〜図４中の左側を「先端」または「先端方向」、右側を「基端」または「基端方向」と言う。
【００２４】
図１に示すように、赤道儀１は、図示しない三脚に取り付けるための台座部３１に、高度（上下方向回動）調整および方位（水平方向回転）調整自在に支持された極軸外筒３３と、極軸外筒３３内に極軸Ｏ１を回転中心として回転可能に支持された極軸内筒３４と、極軸内筒３４の先端部に固定された赤緯外筒３５と、赤緯外筒３５内に極軸Ｏ１と直交する赤緯軸Ｏ２を回転中心として回転可能に固定された赤緯内筒３６と、赤緯外筒３５の先端部に赤緯軸Ｏ２を回転中心として回転可能に設置されたマウント台３７とを備えている。マウント台３７には、図示しない天体望遠鏡が固定される。
【００２５】
極軸内筒３４内には、光軸が極軸Ｏ１と一致した極軸望遠鏡２が設けられている。赤緯外筒３５および赤緯内筒３６には、極軸望遠鏡２の視野を確保するために開口３５ａ、３５ｂ、３６ａ、３６ｂが形成されている。極軸望遠鏡２については、後に詳述する。
【００２６】
台座部３１には、高度微調整ねじ３２ａ、方位微調整ねじ３２ｂがそれぞれ設けられている。極軸望遠鏡２の焦点板２１には、目標の星（以下、北極星で代表する）の位置を決めるためのスケール２１１が描かれており（図５参照）、極軸セッティングの際、観察者は、接眼レンズＬ２を介して、北極星を焦点板２１のスケール２１１に重ねた状態で観察しながら、北極星がスケール２１１と一致するように高度微調整ねじ３２ａおよび方位微調整ねじ３２ｂを操作して、極軸望遠鏡２（極軸Ｏ１）の高度（上下）調整および水平（方位）調整を行う。
【００２７】
さらに、赤道儀１は、赤緯外筒３５を極軸Ｏ１を中心に回転させる極軸駆動部３９と、マウント台３７を赤緯軸Ｏ２を中心に回転させる赤緯駆動部４１と、バランスウエイト４３とを備えている。
【００２８】
図２に示すように、極軸望遠鏡２は、先端側（前側）から順に、対物レンズＬ１と、焦点板２１と、ズーム光学系（ズームレンズ系）２２と、接眼レンズＬ２とを有し、これらの光学系により極軸望遠鏡２の望遠光学系が構成され、その光軸は極軸Ｏ１と一致している。ズーム光学系２２は、先端側から順に、コンデンサーレンズＬ３と、第１変倍レンズＬ４と、第２変倍レンズＬ５とを有している。なお、本実施形態では、これらの各レンズＬ１〜Ｌ５は、それぞれ、１枚のレンズで構成されているが、複数のレンズを組み合わせたレンズ（レンズ群）で構成されていてもよい。
【００２９】
対物レンズＬ１は、極軸内筒３４の先端付近に位置しており、焦点板２１は、極軸内筒３４の長手方向中間部分に位置しており、接眼レンズＬ２は、極軸内筒３４の基端よりも基端側に位置している。
【００３０】
対物レンズＬ１を通過した光束は、焦点板２１で一旦結像して、ズーム光学系２２に入射する。ズーム光学系２２を通過した光束は、第２変倍レンズＬ５と接眼レンズＬ２との間であって、視野環８８に形成された視野枠８８ａの位置Ｓにて再度結像し、この空中像を観察者が接眼レンズＬ２を介して観察する（図３参照）。
【００３１】
極軸外筒３３の基端側には、目盛り環４４が同心的に設置されている。目盛り環４４の外周面には、時刻による北極星の位置変動を補正するための目盛りが付されており、観察者は、この目盛り環４４を回転させることにより、時刻調整を行う。目盛り環４４には、固定ねじ４６が設置されており、調整後にこの固定ねじ４６を締め込むことにより、目盛り環４４をその位置で固定することができる。
【００３２】
目盛り環４４の基端側には、キャップ４５が着脱自在に装着されている。接眼レンズＬ２は、目盛り環４４より基端側に突出しており、極軸望遠鏡２の非使用時には、このキャップ４５を装着することにより接眼レンズＬ２を保護することができる。極軸望遠鏡２の使用時には、キャップ４５は、図１に示すように取り外される。
【００３３】
極軸内筒３４の基端側の部分の内周側には、円筒状のスリーブ４７が同心的に固定されている。なお、スリーブ４７は、極軸内筒３４と一体的に形成されていてもよい。
【００３４】
図３に示すように、スリーブ４７の内周側には、円筒状の直進案内環（案内環）５が極軸Ｏ１を回転中心としてスリーブ４７に対し回転可能に設置されている。前記目盛り環４４は、この直進案内環５に小ねじ４４１によって固定されており、目盛り環４４と直進案内環５とは一体となって回転する。これにより、目盛り環４４は、直進案内環５を回転させる操作を行う操作部として機能する。
【００３５】
直進案内環５の壁面には、ズーム光学系２２の光学素子である第１変倍レンズＬ４および第２変倍レンズＬ５をそれぞれ極軸Ｏ１方向に直進案内する直進案内溝（案内溝）５１、５２が極軸Ｏ１方向に沿って（極軸Ｏ１に平行に）形成されている。第１変倍レンズＬ４は、第１変倍レンズＬ４を支持するレンズ枠２３に設置されたカムフォロア（フォロアピン）２３１が直進案内溝５１内を移動することにより、極軸Ｏ１方向に直進案内される。同様に、第２変倍レンズＬ５は、第２変倍レンズＬ５を支持するレンズ枠２４に設置されたカムフォロア（フォロアピン）２４１が直進案内溝５２内を移動することにより、極軸Ｏ１方向に直進案内される。また、この直進案内環５は、極軸Ｏ１方向に進退しないように設置されている。
【００３６】
直進案内環５の先端部５３側には、焦点板２１がレンズ枠２５および２６を介して固定（支持）されている。これにより、焦点板２１は、直進案内環５と一体となって回転する。このような構成により、赤道儀１では、目盛り環４４を回転させることによって焦点板２１を回転させて、焦点板２１に描かれたスケール２１１の位置を移動させることができ、これにより、時刻による北極星の位置変動に合わせてスケール２１１の位置を補正することができる。このように、本実施形態では、直進案内環５を介して焦点板２１を回転させるように構成したことにより、目盛り環４４から遠く離れた位置にある焦点板２１を簡単な構造で回転させることができる。
【００３７】
レンズ枠２５には、コンデンサーレンズＬ３が固定されている。本実施形態におけるズーム光学系２２では、入射した光束をコンデンサーレンズＬ３によって中心部側に集光することにより、第１変倍レンズＬ４および第２変倍レンズＬ５の小径化が図れる。
【００３８】
直進案内環５の基端部５４側には、接眼レンズＬ２がレンズ枠２７を介して支持されている。レンズ枠２７の外周面に形成された雄ねじは、基端部５４の内周面に形成された雌ねじに螺合している。これにより、接眼レンズＬ２を回転させると、極軸Ｏ１方向に微小距離移動させることができ、視度調整を行うことができる。
【００３９】
直進案内環５の内周側には、円筒状のカム環６が極軸Ｏ１を回転中心として直進案内環５に対し回転可能に設置されている。カム環６の壁面には、極軸Ｏ１に対し傾斜した方向に沿って延びるカム溝６１および６２がそれぞれ形成されている。カム溝６１には、カムフォロア２３１が挿入し、カム溝６２には、カムフォロア２４１が挿入している。
【００４０】
カム環６を直進案内環５に対し回転させると、カムフォロア２３１、２４１が直進案内溝５１、５２およびカム溝６１、６２内をそれぞれ移動することにより、第１変倍レンズＬ４および第２変倍レンズＬ５が互いの空気間隔を変化させながらそれぞれ極軸Ｏ１方向に移動する。これにより、極軸望遠鏡２のズーミングがなされる。この場合、第１変倍レンズＬ４および第２変倍レンズＬ５は、それぞれ、例えば図３中の二点鎖線で示す位置に移動する。
【００４１】
図４に示すように、接眼レンズＬ２の近傍（先端側近傍）には、カム環６と一体となって回転する円筒状（リング状）のズーム操作環７が同心的に設置されている。カム環６の基端部６４とズーム操作環７とは、それらの間に直進案内環５を挟んで位置している。カム環６の基端部６４には、径方向外方に突出する連結ピン６５が設置され、この連結ピン６５がズーム操作環７の壁面に形成された孔に挿入することによってカム環６とズーム操作環７とが連結されている。
【００４２】
カム環６の基端部６４とズーム操作環７との間に位置する直進案内環５の壁面には、連結ピン６５を挿通する挿通溝（開口）５５が周方向に沿って形成されている。カム環６およびズーム操作環７が直進案内環５に対し回転するときには、連結ピン６５は、この挿通溝５５内を移動する。
【００４３】
観察者は、ズーム操作環７を回転操作することにより、極軸望遠鏡２のズーミングを行い、極軸望遠鏡２の倍率（焦点距離）を連続的に変化させることができる。極軸望遠鏡２の倍率は、特に限定されないが、本実施形態では、９倍〜１８倍の間で変化させることができる。低倍（９倍）のときには、焦点板２１の図５中Ａで示す円の内側が視界となり、高倍（１８倍）のときには、焦点板２１の図５中Ｂで示す円の内側が視界となる。
【００４４】
この赤道儀１は、次のように使用される。観察者は、まず、極軸望遠鏡２の倍率を最も低倍の状態として、極軸望遠鏡２を北極星方向に向ける。そして、接眼レンズＬ２を介して星座（北斗七星）を捕捉する。この際、極軸望遠鏡２の倍率が低く視界が広いため、北極星の捕捉を容易かつ迅速に行うことができる。そして、北極星が視界のほぼ中心に位置するように極軸望遠鏡２の高度（上下）および方位（水平方向）を粗調整する。
【００４５】
北極星が視界のほぼ中心に位置したら、ズーム操作環７を所定方向に回してズームインし、極軸望遠鏡２の倍率を高くする。そして、接眼レンズＬ２を介して、北極星を焦点板２１上のスケール２１１に重ねた状態で観察し、北極星がスケール２１１と一致するように、高度微調整ねじ３２ａ、方位微調整ねじ３２ｂを操作して、極軸外筒３３の高度および方位の微調整を行う。この際、極軸望遠鏡２の倍率が高く、高精度に北極星の位置が観察できるので、極軸セッティングを高精度で行うことができる。
【００４６】
このように、赤道儀１では、極軸望遠鏡２にズーム光学系２２を備えたことにより、北極星を捕捉するのが容易であることと、極軸セッティングを高精度で行うことができることとを両立することができる。
【００４７】
また、ズーム光学系２２を焦点板２１と接眼レンズＬ２との間に配置したことにより、対物レンズＬ１の先端側あるいは対物レンズＬ１と焦点板２１との間に、変倍のための光学素子等を介在させる必要がないので、対物レンズＬ１と焦点板２１との高い配置精度を維持しつつ、ズーミングが可能となる。また、ズーミングの際に極軸Ｏ１方向に移動する第１変倍レンズＬ４および第２変倍レンズＬ５に芯ずれ（光軸のずれ）が生じても、焦点板２１上に結像した北極星の位置がずれる訳ではないので、極軸セッティングの精度に影響を受けない。よって、常に高精度な極軸セッティングを確実に行うことができる。
【００４８】
また、ズーム操作環７を回転させるだけの簡単な操作で極軸望遠鏡２の倍率を変化させることができるので、操作を容易かつ迅速に行うことができる。特に、接眼レンズＬ２の近傍にズーム操作環７を配置したことにより、接眼レンズＬ２を覗きながら容易にズーム操作環７を回転操作することができ、操作性に優れる。また、ズーミングに伴って接眼レンズＬ２が極軸Ｏ１方向に移動しないので、ズーミング中にも観察し易いとともに、接眼レンズＬ２がせり出して目に当たるようなことがなく、安全性が高い。
【００４９】
また、極軸望遠鏡２の倍率を２段階に変えるようなものでは、低倍で北極星を捕捉していても、高倍にしたときに北極星が視界から飛んでしまう（消えてしまう）ようなことがあるが、本発明では、倍率を低倍から高倍に連続的に変化させることができるので、一旦捕捉した北極星を視界から逃すようなことがなく、極軸セッティングを常に容易かつ迅速に行うことができる。
【００５０】
また、極軸望遠鏡２をズームインするときは、必ずしも最大の倍率まで上げる必要はなく、必要十分な極軸セッティングの精度が得られるような倍率まで上げたところで極軸外筒３３の高度および方位の微調整を行ってもよい。これにより、赤道儀１に装着して使用する天体望遠鏡の倍率に合わせた無駄のない精度で極軸セッティングを行うことができ、極軸セッティングの手間を軽減することができる。
【００５１】
また、本実施形態では、ズーム光学系２２は、リレー光学系（リレーレンズ系）で構成されている。これにより、次のような利点がある。すなわち、焦点板２１に結像した像は、倒立像となっているが、この倒立像がリレー光学系であるズーム光学系２２によって反転されるので、接眼レンズＬ２を介して観察する像は、正立像となる。よって、極軸セッティングにおいて極軸外筒３３を動かすべき方向が極軸望遠鏡２で見た観察像に対して逆転せず、極軸外筒３３を動かす方向を間違えるようなことがないので、極軸セッティングをさらに容易に行うことができる。
【００５２】
また、本実施形態では、接眼レンズＬ２が直進案内環５に支持されていることにより、ズーム操作環７を回転操作したとき、すなわちズーミングした際に接眼レンズＬ２は回転しないので、ズーミングがし易く、また、ズーミングしたときに視度調整が狂ってしまうようなことを防止することができる。
【００５３】
図４に示すように、ズーム操作環７の先端側には、極軸Ｏ１を中心とするリング状をなすスペーサ２８が設置されている。スペーサ２８の先端面は、直進案内環５の外周面に形成された段差部５６の基端面に当接しており、スペーサ２８の基端面は、ズーム操作環７の先端面に当接している。このような構成により、スペーサ２８の厚さを調整することにより、直進案内環５に対するカム環６の極軸Ｏ１方向の位置を調整することができる。
【００５４】
赤道儀１の製造時には、厚さが異なる同様のスペーサ２８を複数種類用意しておき、極軸望遠鏡２の倍率やピントが正確になるような厚さのスペーサ２８を選択して装着する。これにより、部品寸法の個体差による誤差を容易に補正することができる。なお、スペーサ２８は、周の一部が欠損したＣ字状をなしており、側方から抜き差しできるように構成されているのが好ましい。
【００５５】
ズーム操作環７の基端側には、極軸Ｏ１を中心とするリング状（円筒状）をなす指標環（第２のスペーサ）２９が設置されている。指標環２９は、その壁面に形成されたねじ孔に螺合する小ねじ２９１によって直進案内環５に対し回り止めされている。この指標環２９の外周面には、ズーム操作環７の外周面に描かれた倍率の目盛りや、接眼レンズＬ２のレンズ枠２７に設置された視度調整目盛り環２７１の外周面に描かれた目盛りを合わせるための指標（マーク）が描かれている。
【００５６】
指標環２９の基端側には、リング状（円筒状）のナット２０が設置されている。ナット２０の内周面に形成された雌ねじは、直進案内環５の基端部５４の外周面に形成された雄ねじに螺合している。赤道儀１の製造時、ナット２０を締め付けると、ナット２０の先端面が指標環２９の基端面を先端方向に押圧し、さらに指標環２９の先端面がズーム操作環７を先端方向に押圧することにより、段差部５６、スペーサ２８、ズーム操作環７および指標環２９の間に隙間がなくなり、これらのうちの隣接するもの同士が確実に当接する状態になる。
【００５７】
また、ナット２０の締め付け量を調整することにより、ズーム操作環７とスペーサ２８および指標環２９との間に作用する摩擦力が変化し、ズーム操作環７の回転抵抗が変化する。よって、赤道儀１の製造工程において、ナット２０の締め付け量の調整により、ズーム操作環７の回転抵抗を、操作のし易い適度な大きさに容易に調整することができる。
【００５８】
以上、本発明の赤道儀を図示の実施形態について説明したが、本発明は、これに限定されるものではなく、赤道儀を構成する各部は、同様の機能を発揮し得る任意の構成のものと置換することができる。また、任意の構成物が付加されていてもよい。
【００５９】
また、本発明では、ズーム光学系の光学素子を極軸方向に案内する案内溝が形成された案内環は、その案内溝が極軸に対し傾斜して形成され、光学素子が極軸方向に案内されるときに極軸を中心に案内環に対し回転するように構成されたようなものであってもよい。ただし、案内環の案内溝は、前述した実施形態のように、極軸と平行に形成されているのが好ましい。
【００６０】
【発明の効果】
以上述べたように、本発明によれば、極軸望遠鏡にズーム光学系を備えたことにより、目標の星を捕捉するのが容易であることと、極軸セッティングを高精度で行うことができることとを両立することができる。また、簡単な操作で極軸望遠鏡の倍率を変化させることができ、操作性に優れるので、極軸セッティングを容易かつ迅速に行うことができる。
【００６１】
また、極軸望遠鏡のズーム光学系を焦点板と接眼レンズとの間に配置したことにより、ズーミングの際にズーム光学系に芯ずれ（光軸のずれ）が生じても、極軸セッティングの精度に影響を受けることがないので、高精度な極軸セッティングを確実に行うことができる。
【００６２】
また、極軸望遠鏡の低倍側で一旦捕捉した目標の星を、高倍にしたときに視界から逃すようなことがないので、高精度な極軸セッティングを常に円滑に行うことができる。
【図面の簡単な説明】
【図１】本発明の赤道儀の実施形態を示す一部切欠き側面図である。
【図２】図１に示す赤道儀における極軸望遠鏡の縦断面図である。
【図３】図２中のズーム光学系およびその周辺を拡大して示す半縦断面図である。
【図４】図３中の接眼レンズおよびその周辺をさらに拡大して示す半縦断面図である。
【図５】図２に示す極軸望遠鏡における焦点板を示す図である。
【符号の説明】
１            赤道儀
２            極軸望遠鏡
２０          ナット
２１          焦点板
２１１        スケール
２２          ズーム光学系
２３、２４    レンズ枠
２３１、２４１  カムフォロア
２５、２６、２７  レンズ枠
２７１        視度調整目盛り環
２８          スペーサ
２９          指標環
２９１        小ねじ
３１          台座部
３２ａ        高度微調整ねじ
３２ｂ        方位微調整ねじ
３３          極軸外筒
３４          極軸内筒
３５          赤緯外筒
３５ａ、３５ｂ  開口
３６          赤緯内筒
３６ａ、３６ｂ  開口
３７          マウント台
３９          極軸駆動部
４１          赤緯駆動部
４３          バランスウエイト
４４          目盛り環
４４１        小ねじ
４５          キャップ
４６          固定ねじ
４７          スリーブ
５            直進案内環
５１、５２    直進案内溝
５３          先端部
５４          基端部
５５          挿通溝
５６          段差部
６            カム環
６１、６２    カム溝
６４          基端部
６５          連結ピン
７            ズーム操作環
８８          視野環
８８ａ        視野枠
Ｌ１          対物レンズ
Ｌ２          接眼レンズ
Ｌ３          コンデンサーレンズ
Ｌ４          第１変倍レンズ
Ｌ５          第２変倍レンズ
Ｏ１          極軸
Ｏ２          赤緯軸
【図１】
2004212671.tif 000003
【図２】
2004212671.tif 000004
【図３】
2004212671.tif 000005
【図４】
2004212671.tif 000006
【図５】
2004212671.tif 000007